(57)【要約】      （修正有）【課題】湾曲耐性、及び、接合部との緊密性を向上させた扁平式耐圧管及びそのアダプタを提供する。【解決手段】耐圧管アダプタ１００は、接続スリーブ１１０と、その上に複数の第１ねじ山１２１を有する鎖合部１２０と、その上に第１コネクタ１３１及び第２コネクタ１３２を有し、第１コネクタ及び第２コネクタは、相互に独立し且つ相対し、それぞれ支持板１１で仕切られ、湾曲耐性が強化された扁平式耐圧管１の２つの流水通路１２に接合する接合部１３０と、円孔を有し、接合部の外側に被せ設けられ、内側に複数の第２ねじ山１４２を有するキャップ１４０と、を含む。第１ねじ山及び第２ねじ山により、キャップを鎖合部上に鎖合させる。【選択図】図５
0003199646.tif 000002
【実用新案登録請求の範囲】
【請求項１】
内管層であって、その内部空間に支持板を有し、該内管層に近接する相対面に接続させ、該内管層に扁平状を呈させ、該支持板により該内管層を２つの流路に仕切ることができる内管層と、
該内管層の外側に被覆されるメッシュ層と、
該メッシュ層の外側に被覆される外管層と、を含む扁平式耐圧管。
【請求項２】
前記メッシュ層は、テトロン線又はナイロン線が編み込まれてなる請求項１に記載の扁平式耐圧管。
【請求項３】
接続スリーブと、
該接続スリーブの一側に位置し、その上に複数の第１ねじ山を有する鎖合部と、
該鎖合部の一側に位置し、その上に第１コネクタ及び第２コネクタを有し、該第１コネクタ及び該第２コネクタは、相互に独立し且つ相対し、それぞれ請求項１に記載の扁平式耐圧管の２つの流水通路に接合することができる接合部と、
円孔を有し、該接合部の外側に被せ設けられることができ、その内側に複数の第２ねじ山を有するキャップと、
を含み、該第１ねじ山及び該第２ねじ山により、該キャップを該鎖合部上に鎖合させることができる耐圧管アダプタ。
【請求項４】
該第１コネクタ及び該第２コネクタ上にそれぞれバーブを有し、該扁平式耐圧管を該第１コネクタ及び該第２コネクタに容易に穿合させ、且つ緊密に合わさって止水の効果を達成し、そのうち、該バーブは、該第１コネクタ及び該第２コネクタの底部付近に位置する請求項３に記載の耐圧管アダプタ。
【請求項５】
更に、ブッシュを有し、該第１コネクタ及び該第２コネクタの外側に被せ設けることができ、該扁平式耐圧管及び該接合部を緊密に合わせて止水の効果を達成させることができる請求項３に記載の耐圧管アダプタ。
【考案の詳細な説明】
【技術分野】
【０００１】
本考案は、耐圧管及びそのアダプタに関し、特に、扁平式耐圧管及びそのアダプタに関する。
【背景技術】
【０００２】
軟性水管は、一般に蛇口に接続し、蛇口から流れ出る水を水管を介して特定箇所へ流すことに用いられ、例えば、使用者は、水管を蛇口に接続し、水管の長さを延伸し、水を出す一端を庭まで引いて水撒き又は物を洗浄し、一般の円形の軟性水管は、１つの問題が存在し、管体が引っ張れる時、湾曲し、湾曲度が大き過ぎることにより、水管に湾折を形成させ、且つ水流が湾折箇所で遮断され、且つ一部の材質が良好でない水管は、湾折後にその折れ痕が往々にして永久に成型され、以後に水管を使用する時、水流が円滑に流通できなくなり、これにより、新型の扁平式水管が誕生している。
【０００３】
例えば、中華民国専利公告第Ｍ２４７７４７号「網状扁平型多孔水管」は、扁平式水管を開示している。図１を参照し、それは、従来の扁平式水管の立体外観図である。図に示すように、この扁平式水管２００は、内管２０１に複数の流水通路２０１１を形成し、この種の内管２０１は、比較的硬い材質で形成され、故に良好な耐圧性を有し、それから、図に示すように、流水通路２０１１の形状が相当特殊であり、故に一般のシャワーヘッド又は蛇口は、根本的に直接それと組み付けることができず、故に規格の適合するシャワーヘッド又は蛇口（例えば、図中に示す三孔アダプタ２０２）を使用する必要があり、そうして初めて相互の組み立てを完成することができ、使用者にとって相当に不便であり、且つ使用の購入設置コストを増加させる。
【０００４】
図２を参照し、それは、従来のアダプタ及び従来の扁平式水管と結合した後の断面説明図である。図に示すように、アダプタ３００は、もう１つの従来の扁平式水管４００と接続することに用い、該アダプタ３００は、被覆スリーブ３０１、コネクタ３０２及び接続スリーブ３０３を含み、その結合方式は、以下である。まず該扁平式水管４００を切り開き、該アダプタ３００と組み付けさせる。該扁平式水管４００が切り開かれた後、該アダプタ３００は、そのコネクタ３０２を該扁平式管体４０１中の凹陥箇所に挿入することができ、該被覆スリーブ３０１に該扁平式管体４０１を被覆させ、該接続スリーブ３０３は、もう１つの相対するコネクタと相互に組み立てさせ、組み立てを完成することができる。
【０００５】
上記従来の扁平式水管は、シャワーヘッド又は蛇口と結合時に以下の欠点を有する：１、アダプタ２０２を購入設置する必要があり、そうして初めて相互の組み立てを完成することができる；２、該アダプタ２０２及び該扁平式水管４００間の管体の密着度が良好でなく、容易に漏水する；３、組み合わせ時、先ず扁平式水管４００を切り開く必要があり、扁平式水管４００の完全性を破壊する等、改善の余地がある。
【先行技術文献】
【特許文献】
【０００６】
【特許文献１】特開平１１−１９７４６６号公報
【考案の概要】
【考案が解決しようとする課題】
【０００７】
本考案の目的は、その内管層柱に支持板を有し、該支持板は、該内管内部を２つの流水通路に仕切ることができ、該支持板は、該内管層延滞の凹み湾折耐性を有効に増加する扁平式耐圧管を提供することにある。
【０００８】
本考案の目的は、扁平式耐圧管と変換接続し、接合部を有し、該接合部上に第１コネクタ及び第２コネクタを有し、それぞれ扁平式耐圧管の２つの流水通路に接合でき、扁平式耐圧管及び接合部を緊密に合わせて止水の効果を達成する扁平式耐圧管を提供することにある。
【０００９】
本考案の目的は、ブッシュを有し、該接合部の外側に被せ設けることができ、該扁平式耐圧管及び該接合部を緊密に合わせて止水の効果を達成させることができる耐圧管アダプタを提供することにある。
【００１０】
本考案の目的は、組み合わせ時に先ず、扁平式耐圧管を切り開く必要がなく、該扁平式耐圧管の完全性を破壊することがない耐圧管アダプタを提供することにある。
【課題を解決するための手段】
【００１１】
本考案の目的に基づき、本考案が提供する扁平式耐圧管は、その内部空間に支持板を有し、内管に近接する相対面に接続し、該内管に扁平状を呈させ、該支持板により該内管を２つの流水通路に仕切ることができる内管層と、該内管層外側に被覆されるメッシュ層と、該メッシュ層外側に被覆される外管層と、を含む。
【００１２】
本考案の目的に基づき、本考案が提供する耐圧管アダプタは、接続スリーブと、該接続スリーブの一側に位置し、その上に複数の第１ねじ山を有する鎖合部と、該鎖合部の一側に位置し、その上に第１コネクタ及び第２コネクタを有し、該第１コネクタ及び第２コネクタは、相互に独立し且つ相対し、それぞれ扁平式耐圧管の２つの流水通路に接合することができる接合部と、円孔を有し、該接合部の外側に被せ設けられることができ、その内側に複数の第２ねじ山を有するキャップと、を含み、該第１ねじ山及び第２ねじ山により、該キャップを該鎖合部上に鎖合させることができる。
【考案の効果】
【００１３】
上記のように、本考案の耐圧管アダプタの実施によって、該接合部に第１コネクタ及び第２コネクタを有し、それぞれ扁平式耐圧管の２つの流水通路に被せ設けることができ、扁平式耐圧管及び接合部を緊密に合わせて止水の効果を達成させることができ、それは、ブッシュを有し、該接合部の外側に被せ設けることができ、該扁平式耐圧管及び該接合部支持板を切り開く必要がなく、該扁平式耐圧管の完全性を破壊することがないという利点を有し、従って、本考案は、従来の扁平式水管及びそのアダプタに比較して確かに進歩性を有する。
【図面の簡単な説明】
【００１４】
【図１】従来の扁平式水管の立体外観図である。
【図２】従来のアダプタ及び従来の扁平式耐圧管の分解説明図である。
【図３】本考案の好適実施例の扁平式耐圧管の分解説明図である。
【図４】本考案の好適実施例の扁平式耐圧管の組み合わせ説明図である。
【図５】本考案の好適実施例の耐圧管アダプタの分解説明図である。
【図６】本考案の好適実施例の耐圧管アダプタの組み合わせ説明図である。
【図７】本考案の好適実施例の耐圧管アダプタと図４で示す扁平式耐圧管の組み合わせ説明図である。
【考案を実施するための形態】
【００１５】
図３、図４を参照し、図３は、本考案の好適実施例の扁平式耐圧管の分解説明図である。図４は、本考案の好適実施例の扁平式耐圧管の組み合わせ説明図である。
【００１６】
図に示すように、本考案の扁平式耐圧管１は、内管層１０と、メッシュ層２０と、外管層３０と、が組み合わさってなる。
【００１７】
そのうち、該内管層１０は、プラスチック原料から形成され、その内部空間に支持板１１を有し、該内管層１０に近隣する相対面に接続し、該内管層に扁平状を呈させ、該支持板１１により該内管層１０を２つの流水通路１２に仕切ることができる。且つその支持板１１は、該内管層１０の長さに平行し、内管層１０の内部空間に近接する２つの相対面に接続することに用いられ、且つその接続後、内管層１０に扁平状を呈させ、支持板１１により該内管層１０内部をそれぞれ２つの流水通路１２に仕切り、該支持板１１により該内部層１０全体の凹み湾折耐性を有効に増加させ、従って、本考案の扁平式耐圧管は、凹み湾折される時、その支持板１１両側が依然として支持の隙間を保有し、水流を依然として円滑に流動させ、塞栓することがなく、水流が湾折箇所で遮断されることを有効に防止し、且つ本考案の扁平式耐圧管１が使用完了し、漏圧後、その管体が依然として該支持板１１の設計により迅速にその元の形状に回復することができる。
【００１８】
該メッシュ層２０は、該内管層１０外側を被覆し、それは、該内管層１０と該外管層３０の間の結合力、及び本考案の扁平式耐圧管全体の厚さを増加することができ、管体表面の単位面積が受けることができる圧力を増加する効果を達成し（即ち、その耐圧性を増加する）、従って、管体内面の水圧が過度に大きいか、管体外表面に重圧を受けるとしても、管体の破裂の状況を発生することがなく、且つそのうち、該メッシュ層２０は、これに制限するものではないが、例えば、テトロン線又はナイロン線を編み込んでなり、材質特性が相当に堅固であり、該内管層１０と該外管層３０の間の結合力を増加することができる。
【００１９】
該外管層３０は、プラスチック原料で形成され、該メッシュ層２０外側に被覆する。
【００２０】
図５〜図７を参照し、そのうち、図５は、本考案の好適実施例の耐圧管アダプタの分解説明図である。図７は、本考案の好適実施例の耐圧管アダプタと図４が示す扁平式耐圧管の組み合わせ説明図である。
【００２１】
図に示すように、本考案の耐圧管アダプタ１００は、接続スリーブ１１０と、鎖合部１２０と、接合部１３０と、キャップ１４０と、が組み合わさってなる。
【００２２】
そのうち、該接続スリーブ１１０は、プラスチック材料で形成され、これに制限するものではないが、例えば、ＰＰであり、その一端は、相対するコネクタに接続させることができる（図示せず）。
【００２３】
該鎖合部１２０は、プラスチック材料で形成され、これに制限するものではないが、例えば、ＡＢＳであり、該接続スリーブ１１０の一側に位置し、これに制限するものではないが、例えば、右側であり、その上に複数の第１ねじ山１２１を有する。
【００２４】
該接合部１３０は、プラスチック材料で形成され、これに制限するものではないが、例えば、ＰＰであり、該鎖合部１２０の一側に位置し、これに制限するものではないが、例えば、右側であり、その上に第１コネクタ１３１及び第２コネクタ１３２を有し、該第１コネクタ１３１及び第２コネクタ１３２は、相互に独立し且つ相対側に位置し、それぞれ扁平式耐圧管１の２つの流水通路１２に接合されることができ、且つ該２つの流水通路１２の間に支持板１１を有する。そのうち、該第１コネクタ１３１及び第２コネクタ１３２上にそれぞれバーブ１３３，１３４を有し、該扁平式耐圧管１を該第１コネクタ１３１及び第２コネクタ１３２を容易に穿合させることができ、且つ緊密に合わさって止水の効果を達成し、そのうち、該バーブ１３３，１３４は、これに制限するものではないが、例えば、該第１コネクタ１３１及び第２コネクタ１３２の底部付近に位置する。
【００２５】
該キャップ１４０は、プラスチック材料で形成され、これに制限するものではないが、例えば、ＡＢＳであり、それは、円孔１４１を有し、該接合部１３０の外側に被せ設けられることができ、その内側に複数の第２ねじ山１４２を有し、該第１ねじ山１３１及び第２ねじ山１４２により、該キャップ１４０に該鎖合部１２０に鎖合することができる。
【００２６】
また、本考案の耐圧管アダプタは、更に、ブッシュ１３５を有し、それは、プラスチック材料で形成され、これに制限するものではないが、例えば、ＰＰであり、中空であり且つ開口１３６を有し、該開口１３６は、該第１コネクタ１３１及び第２コネクタ１３２の外側に被せ設けられることができ、該扁平式耐圧管１及び該接合部１３０を緊密に合わせて止水の効果を達成することができる。
【００２７】
図６及び図７に示すように、本考案の耐圧管アダプタの使用時、先ず、該キャップ１４０の複数の第２ねじ山１４２を該扁平式耐圧管１開口へ向け、該第１コネクタ１３１及び第２コネクタ１３２をそれぞれ該扁平式耐圧管１の流水通路１２に挿入し、該支持板１１を該第１コネクタ１３１及び第２コネクタ１３２の間に設置させ、該ブッシュ１３５を該扁平式耐圧管１、該第１コネクタ１３１及び第２コネクタ１３２の外側に被せ設け、該扁平式耐圧管１及び該接合部１３０を緊密に合わせ、最後に、該キャップ１４０を該鎖合部１２０の外側に被せ設け、該第２ねじ山１４２及び第１ねじ山１２１により、該キャップ１４０を該鎖合部１２０上に鎖合させることができ、該接続スリーブ１１０は、もう１つの相対するコネクタと相互に組み付けさせることができ、組み立てを完成し、従って、緊密に合わさって止水の効果を達成することができる。本考案の耐圧管アダプタは、組み合わせ時、先ず扁平式耐圧管１の支持板１１を切り開く必要がないので、該扁平式耐圧管１の完全性を破壊することがなく、且つ該第１コネクタ１３１、第２コネクタ１３２及びブッシュ１３５は、該扁平式耐圧管１及び該接合部１３０を緊密に合わせて止水の効果を達成させることができ、従って、従来技術に比較して確かに進歩性を有する。
【００２８】
上記のように、本考案の耐圧管アダプタの実施によって、該接合部に第１コネクタ及び第２コネクタを有し、それぞれ扁平式耐圧管の２つの流水通路に被せ設けることができ、扁平式耐圧管及び接合部を緊密に合わせて止水の効果を達成させることができ、それは、ブッシュを有し、該接合部の外側に被せ設けることができ、該扁平式耐圧管及び該接合部支持板を切り開く必要がなく、該扁平式耐圧管の完全性を破壊することがないという利点を有し、従って、本考案は、従来の扁平式水管及びそのアダプタに比較して確かに進歩性を有する。
【００２９】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３０】
１  扁平式耐圧管
１０  内管層
１１  支持板
１２  流水通路
２０  メッシュ層
３０  外管層
１００  耐圧管アダプタ
１１０  接続スリーブ
１２０  鎖合部
１２１  第１ねじ山
１３０  接合部
１３１  第１コネクタ
１３２  第２コネクタ
１３３，１４４  バーブ
１３５  ブッシュ
１３６  開口
１４０  キャップ
１４１  円孔
１４２  第２ねじ山
２００  扁平式水管
２０１  内管
２０１１  流水通路
２０２  三孔アダプタ
３００  アダプタ
３０１  被覆スリーブ
３０２  コネクタ
３０３  接続スリーブ
４００  扁平式水管
４０１  扁平式管体
【図１】
0003199646.tif 000003
【図２】
0003199646.tif 000004
【図３】
0003199646.tif 000005
【図４】
0003199646.tif 000006
【図５】
0003199646.tif 000007
【図６】
0003199646.tif 000008
【図７】
0003199646.tif 000009